(57)【特許請求の範囲】
【請求項１】
内部にヒータ(H)を配設した貯湯タンク(6)と、同貯湯タンク(6)と給水源とを連通連結する一次側流路(3)と、同貯湯タンク(6)と水栓(2)とを連通連結する二次側流路(4)と、一次側流路(3)の中途から分岐して二次側流路(4)に連通連結したバイパス流路(9)と、同バイパス流路(9)の分岐箇所の上流側の一次側流路に設けた定流量弁(7)と、前記バイパス流路(9)、または、バイパス流路(9)の分岐点下流側の一次側流路(3)の中途に取付け、給水温度に応じて流量を変化させる水量調節手段とを具備することを特徴とする電気温水器。
【請求項２】
湯と水の混合比は、上記水量調節手段による貯湯タンク（６）  への通水量及びバイパス流路（９）  から二次側流路（４）  への通水量の変化により決定されることを特徴とする請求項１記載の電気温水器。
【請求項３】
上記水量調節手段は、水温を検知する感熱部を有する水量調節弁（Ｖ）  であることを特徴とする請求項１または２に記載の電気温水器。
【請求項４】
上記水量調節手段は、二次側流路中の混合湯水の温度を検出する温度センサ（Ｓ１）の検出値に基づいて開度が制御される電動弁（Ｖ１）であることを特徴とする請求項１または２に記載の電気温水器。
【発明の詳細な説明】
【０００１】
【産業上の利用分野】
本発明は、簡単な構造で湯水を適温に混合可能とした電気温水器に関するものである。
【０００２】
【従来の技術】
従来、洗面化粧台や手洗い器に容易に取付けることができ、適温の湯をいつでも供給可能とした電気温水器があった。
【０００３】
かかる電気温水器は、一般に貯湯式となっており、ケーシングの内部に一定容積の貯湯タンクを設けると共に、同タンク内に家庭用電源と接続したヒータを配設し、同ヒータへの通電を入切りしながらタンク内の湯を一定温度（例えば８５℃）に保つように構成している。
【０００４】
【発明が解決しようとする課題】
ところが、上記した電気温水器は、これを手洗いや洗面に使用するためには、高価な混合水栓やサーモミキシング等の湯水混合装置で適温に温度調節して使用しなければならなかった。
【０００５】
本発明は、上記課題を解決することのできる簡単な構造で温度調節を可能とした電気温水器を提供することを目的とする。
【０００６】
【課題を解決するための手段】
本発明は、内部にヒータを配設した貯湯タンクと、同貯湯タンクと給水源とを連通連結する一次側流路と、同貯湯タンクと水栓とを連通連結する二次側流路と、一次側流路の中途から分岐して二次側流路に連通連結したバイパス流路と、同バイパス流路の分岐箇所の上流側の一次側流路に設けた定流量弁と、前記バイパス流路、または、バイパス流路の分岐点下流側の一次側流路の中途に取付け、給水温度に応じて流量を変化させる水量調節手段とを具備することを特徴とする電気温水器に係るものである。
【０００７】
また、本発明は、以下の構成にも特徴を有する。
【０００８】
（イ）湯と水の混合比は、上記水量調節手段による貯湯タンクへの通水量及びバイパス流路から二次側流路への通水量の変化により決定される。
【０００９】
（ロ）上記水量調節手段は、水温を検知する感熱部を有する水量調節弁である。
【００１０】
（ハ）上記水量調節手段は、二次側流路中の混合湯水の温度を検出する温度センサの検出値に基づいて開度が制御される電動弁である。
【００１１】
【実施例】
本発明の実施例を図面に基づき、具体的に説明する。
【００１２】
（第１実施例）
図１は本発明に係る電気温水器Ａの使用状態を示す説明図、図２は同電気温水器の模式的説明図である。
【００１３】
図１に示すように、本実施例に係る電気温水器Ａは、手洗い器Ｂの下方に設置され、手洗い器Ｂの上部壁面に立設した水栓２に適温の温水を供給するように構成している。
【００１４】
１は箱状に形成した電気温水器Ａのケーシング、１１は同ケーシング１の前面に設けた電源スイッチ、３１は図示しない給水源と電気温水器Ａとを連通連結する給水管、４１は上記自動水栓２と電気温水器Ａとを連通連結する給湯管、Ｂ１は手洗い器Ｂのボウル部Ｂ２の底部に連通連結した排水管である。
【００１５】
また水栓２は手感知センサ５を具備する自動水栓であり、同手感知センサ５により使用者の手を感知すると、後述する制御部Ｅを介して、自動的に電気温水器Ａから水栓２へ適温の温水を供給し、吐水口２１より吐出するようにしている。
【００１６】
ここで、図２を参照しながら、本発明に係る電気温水器Ａの構成について説明する。
【００１７】
図２において、６は電気温水器Ａのケーシング１の内部に収容配設した貯湯タンクであり、同貯湯タンク６は通常的に使用される湯量を十分に貯えることのできる容積を有するように形成されている。
【００１８】
また、貯湯タンク６の下部壁６１からケーシング内給水管３２を伸延させ、給水接続口３３を介して上記給水管３１と連通連結し、同給水管３１とケーシング内給水管３２とで一次側流路３を構成している。
【００１９】
一方、貯湯タンク６の上部壁６２からはケーシング内給湯管４２を伸延させて上記給湯管４１と連通連結し、同給湯管４１とケーシング内給湯管４２とで二次側流路４を構成している。
【００２０】
さらに、貯湯タンク６の内部下側にはヒータＨを配設している。同ヒータＨは上記電源スイッチ１１の投入により通電されて発熱し、貯湯タンク６内の湯が一定温度になると通電が中断され、湯が一定温度以下になると再度通電されるような電気的構成となっている。
【００２１】
すなわち、貯湯タンク６の内部に温度センサＳを設け、同温度センサＳをケーシング１内に配設した制御部Ｅに接続し、同センサＳによる貯湯タンク６内の湯温の検出信号に基づいて制御部ＥによりヒータＨの通電、遮断を制御している。
【００２２】
また、上記したケーシング内給水管３２には、上流側から、定流量弁７、給水電動弁８、及び、水量調節手段としての水量調節弁Ｖを配設している。
【００２３】
定流量弁７はガバナ機構を有し、給水接続口３３から流入する水量を一定に保つようにしている。
【００２４】
給水電動弁８は上記制御部Ｅに接続しており、前記した水栓２の手感知センサ５による検出信号に基づいて開弁し通水を開始できるようにしている。
【００２５】
また、ケーシング内給水管３２の給水電動弁８の下流側には、バイパス流路９を形成するバイパス管９０を分岐伸延させ、同バイパス管９０の先端を二次側流路４、すなわち、ケーシング内給湯管４２に連通連結している。３４はケーシング内給水管３２とバイパス管９０との分岐部である。
【００２６】
上記構成により、給水電動弁８を通過した水は２方向に分岐することになり、一方は貯湯タンク６へと流入し、他方はバイパス管９０を通ってケーシング内給湯管４２とバイパス管９０との連結部である湯水混合部４３に至る。
【００２７】
そして、貯湯タンク６へ流入した水量の分だけ貯湯タンク６内の湯が押し上げられてケーシング内給湯管４２に流れ、湯水混合部４３でバイパス管９０からの水と混合されて温水となって水栓２の吐水口２１より吐出する。
【００２８】
水量調節弁Ｖは、貯湯タンク６への通水量及びバイパス流路９から二次側流路４への通水量を変化させて湯と水の混合比を決定するものであり、ケーシング内給水管３２におけるバイパス管９０との分岐部３４の下流側に設けている。
【００２９】
貯湯タンク６への通水量及びバイパス流路９から二次側流路４への通水量を変化させるために、水量調節弁Ｖは形状記憶合金、または、ワックスエレメント等からなる感熱部を具備している。かかる感熱部により、給水される水の温度を感知して弁体の開度を制御し、通過流量を制御するようにしている。
【００３０】
すなわち、水栓２からの出湯量は、上記した定流量弁７により一定に保たれているので、例えば、水量調節弁Ｖにより貯湯タンク６側へ流れる流量がΔａリットル／ｍｉｎだけ減少すると、バイパス管９０の流量はΔａリットル／ｍｉｎだけ増加することになる。
【００３１】
本実施例では、給水温度が高い場合は、水の混合比を上げてやれば適温の温水を得ることができるので、水量調節弁Ｖにより貯湯タンク６への流量を減少させると共に、バイパス管９０への流量を増加させる。
【００３２】
また、逆に、給水温度が低い場合は、湯の混合比を上げてやれば適温の温水を得ることができるので、水量調節弁Ｖにより貯湯タンク６への流量を増加させると共に、バイパス管９０への流量を減少させて湯・水の混合比を調節し、水栓２から吐出される温水を適温に制御している。
【００３３】
ところで、上記の水量調節弁Ｖは、バイパス流路９に設けることもできる。図３に、水量調節弁Ｖをバイパス管９０に設けた変形例を示している。
【００３４】
この場合は、給水温度が高い場合は、水量調節弁Ｖによりバイパス管９０への流量を増加させて貯湯タンク６への流量を減少させ、逆に、給水温度が低い場合は、水量調節弁Ｖによりバイパス管９０への流量を減少させて貯湯タンク６への流量を増加させる。
【００３５】
すなわち、前述したものと結果的には同じように湯・水の混合比を調節するこができ、水栓２から吐出される温水を適温に制御できる。
【００３６】
以上、説明してきたように、本実施例では、水量調節弁Ｖによって貯湯タンク６への通水量及びバイパス流路９から二次側流路４への通水量を変化させ、湯水の混合比を制御するようにしたので、簡単な構造で確実に温水の温度制御を行うことができる。
【００３７】
従って、高価な混合水栓やサーモミキシングを用いることなく一般の水栓２に適温の温水を供給することができるので、本電気温水器Ａと水栓２とにより全体的に安価な給湯装置を得ることができる。
【００３８】
（第２実施例）
次に、他の実施例として、図４に示すものを説明する。
【００３９】
これは、水量調節手段を水量調節弁Ｖに代えて電動弁Ｖ１としたものであり、同電動弁Ｖ１は、二次側流路４中の混合湯水の温度を検出する温度センサＳ１の検出値に基づいて開度が制御されるように構成している。
【００４０】
すなわち、図４に示すように、ケーシング内給湯管４２の中途で、湯水混合部４３の下流側に温度センサＳ１を設けると共に、ケーシング内給水管３２におけるバイパス管９０との分岐部３４の下流側に電動弁Ｖ１を設け、同電動弁Ｖ１と温度センサＳ１とを制御部Ｅを介して接続している。
【００４１】
上記構成により、湯水混合部４３で混合された温水の温度を温度センサＳ１により検出し、その検出値に基づいて、制御部Ｅが電動弁Ｖ１に駆動信号を出力して弁開度を調節し、先の実施例と同様に、貯湯タンク６への通水量及びバイパス流路９から二次側流路４への通水量を変化させて湯水の混合比を制御して温水の温度制御を行うことができる。
【００４２】
なお、上記の電動弁Ｖ１は、図３に示した水量調節弁Ｖと同様に、バイパス管９０の中途に設けることもできる。その場合においても本実施例と同様な効果を得ることができる。
【００４３】
【発明の効果】
本発明では、電気温水器を、内部にヒータを配設した貯湯タンクと、同貯湯タンクと給水源とを連通連結する一次側流路と、同貯湯タンクと水栓とを連通連結する二次側流路と、一次側流路の中途から分岐して二次側流路に連通連結したバイパス流路と、同バイパス流路、または、バイパス流路の分岐点下流側の一次側流路の中途に取付け、給水温度に応じて流量を変化させる水量調節手段とを具備する構成としたことにより、簡単な構造で確実に温水の温度制御を行うことができる。
【００４４】
従って、高価な混合水栓やサーモミキシングを用いることなく一般の水栓に適温の温水を供給することができるので、本電気温水器と水栓とにより全体的に安価な給湯装置を得ることができる。
【図面の簡単な説明】
【図１】本発明に係る電気温水器の使用状態を示す説明図である。
【図２】同電気温水器の模式的な説明図である。
【図３】同電気温水器の変容例を示す模式的説明図である。
【図４】他の実施例に係る電気温水器の模式的説明図である。
【符号の説明】
Ａ    電気温水器
Ｈ    ヒータ
Ｖ    水量調節弁
１  ケーシング
２    水栓
３    一次側流路
４    二次側流路
６    貯湯タンク
９  バイパス流路
【図１】
0003572674.tif 000002
【図２】
0003572674.tif 000003
【図３】
0003572674.tif 000004
【図４】
0003572674.tif 000005